(57)【要約】【課題】  透水性舗装である表層を経た防水シート上に集水された雨水等は、道路構造物の排水装置にあっては、その壁体によって遮られ十分に排水することができない。【解決手段】  本体の壁体下方に辺に沿って下方に突出して排水誘導片を一体に形成し、かつ、排水誘導片を形成した各壁体に排水誘導片から上方にかけて排水窓を形成するとともに排水誘導片及び排水窓は本体が床版に設置されたとき排水可能な位置であることを特徴とする道路構造物の排水装置を提供する。【選択図】    図１
2005105585.tif 000002
【特許請求の範囲】
【請求項１】
本体の壁体下方に辺に沿って外側に突出した排水誘導片を形成し、かつ、排水誘導片を形成した壁体に排水誘導片の縁部から上方にかけて排水窓を形成したことを特徴とする道路構造物の排水装置。
【請求項２】
本体の壁体下方に辺に沿って外側に突出した排水誘導片を形成し、かつ、排水誘導片を形成した壁体に排水誘導片の縁部から上方にかけて排水窓を形成するとともに排水窓の下端部は、本体が床版に設置されたとき、排水可能な位置にあるように設置することを特徴とする道路構造物の排水装置。
【請求項３】
壁体下方に辺に沿って外側に突出した排水誘導片を一体に形成した各壁体に排水誘導片から上方にかけて排水窓を形成した本体の排水窓の下端部が床版上面とほぼ面一又は以下になるようにして床版に設置し、床版上面から本体に形成した排水誘導片まで防水シートを敷設することを特徴とする道路構造物の排水装置。
【請求項４】
排水誘導片は、誘導面が溝状又は平面状からなることを特徴とする請求項１、請求項２又は請求項３に記載の道路構造物の排水装置。
【請求項５】
排水窓は、縦長にして上方を弧状に形成したことを特徴とする請求項１、請求項２、請求項３又は請求項４に記載の道路構造物の排水装置。
【発明の詳細な説明】
【技術分野】
【０００１】
本発明は、高架道路、河川、渓谷等における道路構造物に設置される排水装置に関する。
【背景技術】
【０００２】
一般に、道路構造物に設置される排水装置は、特に道路の構造において、表層を透水性舗装とする場合、図３に示すように、本体１、蓋２、排水管３とからなり、本体１にはその壁体１ａに排水用の小孔１ｅが形成され、蓋２には集水穴２ａが形成されている。
【０００３】
また、道路構造物は通常、同じく図３に示すように、床版１１の上に防水シート１２を敷設するとともに、その上に基層１３、表層１４が敷設してある。１ｃは落し口である。
【０００４】
上述のようにしてなる排水装置を道路構造物に設置すると同じく図３に示すように、床版１１に敷設された防水シート１２は、排水装置の壁体１ａで縁切れとなってしまう。
【０００５】
そのため、透水性舗装からなる表層１４を用いて、表層上の雨水等を防水シート１２上に落しても、雨水等は道路構造物の排水装置の壁体１ａに形成された排水孔１ｅにより排水されるものの、かなりの量が壁体１ａに遮られて排水されないことになり、様々な課題を有する。
【発明の開示】
【発明が解決しようとする課題】
【０００６】
本発明は、道路構造物の排水装置において、透水性舗装である表層を経た防水シート上の雨水等が道路構造物の排水装置の壁体によって遮られたことによる課題、すなわち、防水シート上の水を排水孔に導くことができない、十分な流量を確保できないため、泥、砂等による目詰まりが生じ、表層上の排水機能が麻痺するという課題を有する。
【０００７】
そこで、本発明では、泥、砂では目詰まりせず、透水性舗装を用いても十分な流量を確保でき、防水シートを用いた場合、排水装置に確実に排水できる道路構造物の排水装置を提供するものである。
【０００８】
本発明は、上記の課題を解決するため、つぎの手段を提供する。
【０００９】
本発明に係る道路構造物の排水装置は、本体の壁体下方に辺に沿って外側に突出した排水誘導片を形成し、かつ、排水誘導片を形成した壁体に排水誘導片の縁部から上方にかけて排水窓を形成したことを特徴とする。
【００１０】
本発明に係る道路構造物の排水装置は、本体の壁体下方に辺に沿って外側に突出した排水誘導片を形成し、かつ、排水誘導片を形成した壁体に排水誘導片の縁部から上方にかけて排水窓を形成するとともに排水窓の下端部は、本体が床版に設置されたとき、排水可能な位置にあるように設置することを特徴とする。
【００１１】
本発明に係る道路構造物の排水装置は、壁体下方に辺に沿って外側に突出した排水誘導片を一体に形成した各壁体に排水誘導片から上方にかけて排水窓を形成した本体の排水窓の下端部が床版上面とほぼ面一又は以下になるようにして床版に設置し、床版上面から本体に形成した排水誘導片まで防水シートを敷設することを特徴とする。
【００１２】
排水誘導片の構造の一例は、誘導面が溝状又は平面状からなることを特徴とする。
【００１３】
排水窓の構造の一例は、縦長にして上方を弧状に形成したことを特徴とする。
【発明の効果】
【００１４】
本発明は上述のような構成からなるので、つぎの効果を有する。
【００１５】
本体下方に突出して排水誘導片を一体に形成し、かつ、排水誘導片を形成した各壁体に排水誘導片から上方にかけて排水窓を形成し、床版への設置に当り、排水窓の下端部が床版上面とほぼ面一又は以下になるように設置し、床版上面から本体に形成した排水誘導片まで防水シートを敷設することができるので、透水性舗装を通して防水シートに落ちた水は排水窓に確実に導かれ、確実な排水を可能にする。そのため、透水性舗装を用いても十分な流量を確保でき、また、泥、砂等による目詰まりを少なくすることができる。舗装上に水が滞留しないことにより既存の床版の健全化を図れる。
【発明を実施するための最良の形態】
【００１６】
本発明を実施するための最良の形態を以下図１に基き説明する。
【実施例１】
【００１７】
図１は、本発明に係る道路構造物の排水装置を床版に設置した状態を示す分解及び切り欠き斜視図である。
【００１８】
本発明に係る道路構造物の排水装置は、公知の道路構造物の排水装置と同様に本体１、蓋２、排水管３とからなっている。
【００１９】
本体１は、鋼製にして平面正方形又は長方形とし、その下端部以下に推状の落し口１ｃを有している。
【００２０】
本体１の壁体１ａの下方、この実施例では三方の壁体１ａの下端方の外側に突出して、排水誘導片４が一体に形成されるとともに同じ三方の壁体１ａに排水窓１ｂが開口されている。
【００２１】
排水誘導片４は、誘導面が平面からなり外側から内側にかけて下方に向けて傾斜する平板で形成され、この排水誘導片４の内側縁部から上方にかけて、壁体１ａの高さの２分の１以上の長孔にして、かつ、上方が上に凸の弧状形をした排水窓が形成されている。排水窓１ｂは、大きな流量に備えるため大口であるとともに荷重に対応するため上方を弧状形とした。この実施例では、一方の壁体１ａは、道路幅員方向の一側端部に位置するので、排水誘導片４は形成されず、排水窓１ｂは開口されず、その両側に突出壁１ｄを形成してなる。この突出壁１ｄは床版上の雨水等の横もれを防止する機能を有するが、ない場合は４面に誘導片４を形成する。
【００２２】
蓋２は鋼製にして集水穴２ａが形成されている。
【００２３】
排水管３は本体１の落し口１ｃに連接している。
【００２４】
このようにして形成された道路構造物の排水装置は、図１に示すようにして床版に設置される。図は橋梁の構造を分りやすくするため一部分を切り欠いた形式で示してある。
【００２５】
この橋梁の構造は、床版１１はＲＣ床版からなり、床版１１の上に防水シート１２を、防水シート１２の上に基層１３を、基層１３の上に透水性舗装からなる表層１４によって形成されている。
【００２６】
この実施の形態において、道路構造物の排水装置は、排水窓１ｂの下端部が床版１１上面とほぼ面一又は以下になるようにして設置される。設置後、床版１１上面から排水誘導片４の溝４ａの内側縁部まで面なりに防水シート１２が敷設される。ついで、基層１３、表層１４が順次敷設される。
【００２７】
つぎに、排水誘導片と防水シートの定着方法の幾つかを図２に基き説明する。
【００２８】
（ａ）は防水シート１２を溝４ａを形成した排水誘導片４に面なりに敷設したものであり、（ｂ）は平板とし、壁体１ａから突出させて一体に形成し、この上に防水シート１２を敷設したものであり、（ｃ）は上述した実施例と同様のもので、排水誘導片４をやや勾配を持たせた平板とし、壁体１ａから突出させて一体に形成し、この上に防水シート１２を敷設したものを示す。
【００２９】
本発明は、上述のようにしてなるので、透水性舗装を経て防水シート上に集水された雨水等は、流量が大きくても防水シートが床版上と排水誘導片とに敷設されて、下端部が排水可能に位置する排水窓に直結するので、壁体に遮られることなく、そのまま排水が可能となった。
【００３０】
まお、本発明は、上述の実施の形態に限定されるものでないことはもちろんである。
【図面の簡単な説明】
【００３１】
【図１】本発明の実施の形態を示す一部切り欠き分解斜視図である。
【図２】本発明における排水誘導片の一例を示す概略図で、（ａ）は誘導面が溝状の排水誘導片を示し、（ｂ）は誘導面が平面状の平板からなる排水誘導片を示し、（ｃ）は誘導面が勾配をもった平板からなる排水誘導片を示す。
【図３】従来例を示す一部切り欠き分解斜視図である。
【符号の説明】
【００３２】
１    本体
１ａ  壁体
１ｂ  排水窓
１ｃ  落し口
１ｄ  突出壁
２    蓋
２ａ  集水穴
３    排水管
４    排水誘導片
４ａ  溝
１１  床版
１２  防水シート
１３  基層
１４  表層
【図１】
2005105585.tif 000003
【図２】
2005105585.tif 000004
【図３】
2005105585.tif 000005